(57)【要約】      （修正有）【課題】便器本体の製造誤差、またはタンクや便器本体の取付施工誤差が生じた場合であっても、容易にタンクと便器本体とを剛性の給水管で接続することができる便器装置を提供する。【解決手段】後面に給水口を有する便器本体１００と、便器本体１００を床面から浮かせた状態で支持する便器支持手段６０と、便器本体１００へ給水する水を貯水するタンク２００と、便器本体１００の後方に配置されタンク２００を支持するタンク支持手段６０と、タンク２００と便器本体１００の給水口を接続しタンク２００の水を便器本体１００へ給水する剛性の給水管２６と、タンク２００及び支持台を内部に収容するキャビネット３００と、を備え、タンク支持手段６０は、タンク２００の前後方向の位置を調節可能にする前後方向位置調節手段２１０を備える。【選択図】図１
2015001081.tif 000002
【特許請求の範囲】
【請求項１】
後面に給水口を有する便器本体と、
前記便器本体を床面から浮かせた状態で支持する便器支持手段と、
前記便器本体へ給水する水を貯水するタンクと、
前記便器本体の後方に配置されタンクを支持するタンク支持手段と、
前記タンクと便器本体の給水口を接続しタンクの水を便器本体へ給水する剛性の高い給水管と、
前記便器支持手段及び前記タンク支持手段を内部に収容するキャビネットと、を備え、
前記タンク支持手段は、前記タンクの位置を前後方向に調節可能にする前後方向位置調節手段を備える便器装置。
【請求項２】
前記タンク支持手段は、さらに前記タンクの高さを調節可能にする高さ調節手段を備える請求項１記載の便器装置。
【請求項３】
前記前後方向位置調節手段は、前記タンクが所定位置より後退することを規制する後退規制手段を備える請求項１または２記載の便器装置。
【請求項４】
前記高さ調節手段は、タンクの前後方向の傾き及び左右方向の傾きを調節可能にした請求項２記載の便器装置。
【請求項５】
前記タンク支持手段は、さらに前記タンクの位置を左右方向に調節可能にする左右方向位置調節手段を備える請求項１乃至４のいずれかに記載の便器装置。
【請求項６】
前記便器支持手段は、前記タンク支持手段を備える請求項１乃至５のいずれかに記載の便器装置。
【発明の詳細な説明】
【技術分野】
【０００１】
本発明は、便器装置に関わり、特にタンクに貯水された水を給水管を介して便器本体へ給水する便器装置に関する発明である。
【背景技術】
【０００２】
従来、壁掛け式便器においては、タンクと便器本体とをフレキシブルな洗浄管にて接続することが知られている（例えば、特許文献１参照。）。
【先行技術文献】
【特許文献】
【０００３】
【特許文献１】実開平０３−２９５７４号公報
【発明の概要】
【発明が解決しようとする課題】
【０００４】
しかしながら、特許文献１に記載の構造のように、タンクと便器本体とをフレキシブルな洗浄管（給水管）にて接続すると、タンクあるいは便器本体の取付施工時に、洗浄管が過度に屈曲するなどして、規定の洗浄性能が得られない恐れがある。
また仮に、タンクと便器本体とを剛性の高い洗浄管（給水管）にて接続する場合は、便器本体の製造誤差、またはタンクや便器本体の取付施工誤差などが考えられ、タンクと便器本体とを剛性の洗浄管（給水管）にて接続することが非常に困難になる恐れがある。
【０００５】
本発明は、かかる課題の認識に基づいてなされたものであり、便器本体の製造誤差、またはタンクや便器本体の取付施工誤差が生じた場合であっても、容易にタンクと便器本体とを剛性の高い給水管で接続することができる便器装置を提供することを目的とする。
【課題を解決するための手段】
【０００６】
上記の目的を達成するために、本発明は、以下のような手段を採用している。すなわち、本発明の便器装置は、後面に給水口を有する便器本体と、便器本体を床面から浮かせた状態で支持する便器支持手段と、便器本体へ給水する水を貯水するタンクと、便器本体の後方に配置されタンクを支持するタンク支持手段と、タンクと便器本体の給水口を接続しタンクの水を便器本体へ給水する剛性の高い給水管と、便器支持手段及びタンク支持手段を内部に収容するキャビネットと、を備え、タンク支持手段は、タンクの位置を前後方向に調節可能にする前後方向位置調節手段を備える。
【０００７】
このように構成された本発明においては、便器本体の製造誤差、またはタンクや便器本体の取付施工誤差により便器本体とタンクとの間の距離（前後方向の距離）が規定の距離とは違う場合であっても、タンクの位置が前後方向に調節可能であるため、剛性の高い給水管を用いてタンクと便器本体とを容易に接続することができる。ここで、剛性の高い給水管とは、塩化ビニル樹脂等の樹脂材料や、金属材料からなる給水管をいい、可撓性のある蛇腹管などはこの剛性の高い給水管には含まれない。
また、給水管を便器本体の後面の給水口に挿入接続するタイプの便器装置の場合には、前後方向位置調節手段を利用することで接続動作が非常に容易になる。
【０００８】
また、好ましくは、前記タンク支持手段は、さらにタンクの高さを調節可能にする高さ調節手段を備える。
【０００９】
このように構成された本発明においては、便器本体の製造誤差、またはタンクや便器本体の取付施工誤差により便器本体とタンクとの相対的な高さ位置が規定の高さ位置と違う場合であっても、タンクの高さが調節可能であるため、剛性の給水管を用いてタンクと便器本体とを容易に接続することができる。
【００１０】
また、好ましくは、前記前後方向位置調節手段には、タンクが所定位置より後退することを規制する後退規制手段を備える。
【００１１】
このように構成された本発明においては、経年的に使用した際に微小振動などによりタンクが後退したとしても、所定位置より後退することを防止することができるため、給水管の便器本体への接続が解除されず、漏水を防止することができる。
【００１２】
また、好ましくは、高さ調節手段は、タンクの前後方向の傾き及び左右方向の傾きを調節可能にした。
【００１３】
このように構成された本発明においては、タンク支持手段やタンク自体の製造誤差、あるいは取付誤差が生じた場合であっても、タンクの姿勢を適切な姿勢に修正することができ、タンクがもつ規定の洗浄性能を発揮することができる。
【００１４】
また、好ましくは、便器指示手段は、さらにタンクの位置を左右方向に調節可能にする左右方向位置調節手段を備える。
【００１５】
このように構成された本発明においては、便器本体の製造誤差、またはタンクや便器本体の取付施工誤差により便器本体とタンクとの左右方向の相対的な位置関係が規定の位置とは違う場合であっても、タンクの位置が左右方向に調節可能であるため、剛性の高い給水管を用いてタンクと便器本体とを容易に接続することができる。
【００１６】
また、好ましくは、前記便器支持手段は、前記タンク支持手段を備える。
【００１７】
このように構成された本発明においては、タンク支持手段が便器支持手段を兼ね備えることで、部品点数を削減でき、コスト低減に寄与することができる。また、装置全体のコンパクト化にも貢献でき、トイレルームのスペースを有効利用できる。
【発明の効果】
【００１８】
本発明によれば、便器本体の製造誤差、またはタンクや便器本体の取付施工誤差が生じた場合であっても、容易にタンクと便器本体とを剛性の高い給水管で接続することができる便器装置を提供することができる。
【図面の簡単な説明】
【００１９】
【図１】本発明の実施形態に係る便器装置を例示する模式的斜視図である。
【図２】本発明の実施形態に係るタンク調節板の位置調節機構を例示する模式的斜視図であり、図２（Ａ）はタンク調節板を橋渡部材に取り付けた後の状態であり、図２（Ｂ）はタンク調節板を橋渡部材に取り付ける前の状態である。
【図３】本発明の実施形態に係るタンクとタンク調節板との固定構造を例示する模式的断面図である。
【図４】本発明の実施形態に係るタンクと便器本体との接続構造を例示する模式的斜視図である。
【図５】本発明の実施形態に係る便器装置を例示する模式的側面図である。
【発明を実施するための形態】
【００２０】
以下、図面を参照しつつ、本発明の実施形態について説明する。
図１は、本発明の実施形態に係る便器装置を例示する模式的斜視図である。
図２は、本発明の実施形態に係るタンク調節板の位置調節機構を例示する模式的斜視図であり、図２（Ａ）はタンク調節板を橋渡部材に取り付けた後の状態であり、図２（Ｂ）はタンク調節板を橋渡部材に取り付ける前の状態である。
図３は、本発明の実施形態に係るタンクとタンク調節板との固定構造を例示する模式的断面図である。
図４は、本発明の実施形態に係るタンクと便器本体との接続構造を例示する模式的斜視図である。
図５は、本発明の実施形態に係る便器装置を例示する模式的側面図である。
【００２１】
図１に表したように、実施形態に係る便器装置は、横部材１０と、縦部材２０と、橋渡部材３０と、支持部材４０と、床部材５０と、からなる壁掛便器支持構造６０により便器本体１００を床面ＦＬから浮かせた状態で支持するものである。
壁掛便器支持構造６０は、後ろ壁面ＢＷと便器本体１００との間に設けられるキャビネット３００の内側に配置される。
【００２２】
縦部材２０は、垂直方向に延在する例えば角型材（中空または中実）である。縦部材２０には、例えば鋼材が用いられる。縦部材２０の上端部には左右方向に延びた横部材１０が連結されている。そして、横部材１０は、後ろ壁面ＢＷに複数の固定部材によって固定される。横部材１０は断面が略Ｌ字形状に形成されている。また、縦部材２０の床面ＦＬには、床部材５０が連結されている。床部材５０も横部材１０と同様に、床面ＦＬに複数の固定部材によって固定される。固定部材としては、例えばボルト及びナットやビスが用いられる。
本実施形態では、２本の縦部材２０が所定の間隔で略平行に設けられている。
【００２３】
支持部材４０は、後ろ壁面ＢＷから離れた位置で床面ＦＬに固定される。支持部材４０は、床面ＦＬから垂直方向に延在する例えば角型材（中空または中実）である。支持部材４０は下端部が平板状に形成されており、その部分が床面ＦＬに固定部材により固定される。
【００２４】
本実施形態では、２本の支持部材４０が所定の間隔で平行に設けられている。２本の支持部材４０は、下端部が縦部材２０とＬ型部材４２によって連結されている。また、２本の支持部材４０同士は、床面ＦＬから離れた位置で第１連結部４４によって連結されている。これにより、２本の支持部材４０は、その間隔を維持したまま床面ＦＬに頑丈に固定される。
【００２５】
橋渡部材３０は、前後方向に延在する。すなわち、橋渡部材３０は、後ろ壁面ＢＷに対して垂直な方向に延在して設けられる。橋渡部材３０の一端は縦部材２０に固定され、他端は支持部材４０に固定される。橋渡部材３０によって、支持部材４０は縦部材２０と一定の間隔でしっかりと保持される。
【００２６】
便器本体１００は、支持部材４０の前方面に固定される。支持部材４０からボルト３５が前方に向かって突出している。また、便器本体の後面には図示しない孔が設けられている。この孔にボルト２５を通してナットで固定することで、便器本体１００を床面ＦＬから浮かせた状態で支持する。
便器本体１００は、例えば２本のボルト２５及びナットで支持部材４０に固定されると共に、便器本体１００の後面の下部が第１連結部４４に接触して、３点による支持によって固定される。
また、支持部材４０には、建物の配水管に洗浄後の水を排水するための配管入口２２が設けられ、便器本体１００の後面に形成された便器排水口が接続される。
【００２７】
本実施形態では、２本の橋渡部材３０にタンク調節板２１０が取り付けられている。このタンク調節板２１０は、上方にタンク２００を固定し、タンク２００の位置を調節するために用いられる。タンク調節板２１０には、便器本体１００の導水路へ水を給水するための給水管２６が設けられ、給水管２６の先端部に形成された接続口２８を便器本体１００の後面に形成された流入口に接続するように構成されている。
【００２８】
次に、図２（Ａ）、（Ｂ）に基づいて本実施形態のタンク調節板の位置調節機能について説明する。まずは、タンク調節板の高さ調節機能について説明する。
タンク調節板２１０の左右の端部には平板状の平板部２６０が設けられている。この平板部２６０の前端部および後端部にはそれぞれボルト孔２２１が形成され、このボルト孔２２１にはボルト２２０が取り付けられている。このボルト２２０の下端は橋渡部材３０から内方に延びて平板状に形成された取付部３２に当接して構成されている。したがって、ボルト２２０をボルト孔２２１にねじ込んで、平板部２６０の下方に突出するボルト２２０の長さを長くすることで、その部分のタンク調節板２１０の高さを高くすることができる。逆に平板部２６０の下方に突出するボルト２２０の長さを短くすることで、その部分のタンク調節板２１０の高さを低くすることができる。本実施形態においては、タンク調節板２１０の４隅にボルト２２０が取り付けられているため、それら４つのボルトの全てを調節すればタンク全体の高さ（図２で示すＹ方向）が調節できる。また、４つのボルト２２０のうち、前方の２つのボルト２２０のみ、あるいは後方の２つのボルト２２０のみを調節すれば、タンクの前後方向の傾きを調節することができる。また、４つのボルト２２０のうち左側方の２つのボルト２２０のみ、あるいは右側方の２つのボルト２２０のみを調節すれば、タンクの左右方向の傾きを調節することができる。
このように構成することで、タンク２００の高さや傾きを容易且つ簡易な構造で調節できる。
【００２９】
次に、タンク調節板の前後方向位置調節機能について説明する。
図２（Ｂ）から分かるとおり、取付部３２にはタンク調節板２１０を固定するための固定手段３４が設けられている。固定手段３４は、取付部３２から上方へ突出するように設けられたネジ部３４ａと、そのネジ部３４ａに取り付けられる座金３４ｂ及び蝶ナット３４ｃを備える。一方、タンク調節板２１０の平板部２６０には、前後のボルト孔２２１の間に長孔２３０が形成されている。長孔２３０は、前後方向に延びて形成され、その長孔２３０には図２（Ａ）に示すようにネジ部３４ａが挿通される。そして、上方より座金３４ｂと蝶ナット３４ｃが取り付けられる。
タンク調節板２１０の前後方向位置を調節する際は、一旦蝶ナット３４ｃを緩めて、タンク調節板２１０を前後方向（図２のＸ方向）に移動させた後、再び蝶ナット３４ｃを締めることで、タンク調節板２１０の前後方向位置の調節が完了する。このとき、長孔２３０の内面をネジ部３４ａが沿うようにタンク調節板２１０が前後方向に移動するため、タンク調節板２１０が極端に傾いたりすることなく容易に調節することができる。
また、タンク調節板２１０を過度に後退させた際には、ネジ部３４ａが長孔２３０の前端部に当接し後退が規制されるよう構成されている。したがって、タンク調節板２１０を後退させる調節を行った際に、タンク調節板２１０が取付部３２より落下したり、あるいは取付後に微小振動等でタンク調節板が後退していき、給水管２６の便器本体１００への接続が自然と解除されるような事態を防ぐことができる。
また、タンク調節板２１０を過度に前進させた際にも、ネジ部３４ａが長孔２３０の後端部に当接し前進が規制されるよう構成されている。したがって、タンク調節板２１０を前進させる調節を行った際に、過度に前進させて、給水管２６が便器本体１００へ過度に挿入されて給水管２６が破損したりするような事態を防ぐことができる。
【００３０】
本実施形態では、さらにタンク調節板２１０の左右方向の位置についても調節が可能に構成されている。それはタンク調節板２１０の長孔２３０の左右方向の幅が、ネジ部３４ａの外径より大きく形成されているためであり、前後方向位置調節機能と同様に、一旦蝶ナット３４ｃを緩めて、タンク調節板２１０を左右方向に移動させた後、再び蝶ナット３４ｃを締めることで、タンク調節板２１０の左右方向位置の調節が完了する。
【００３１】
次に、図３に基づいて、タンク２００とタンク調節板２１０との固定構造について説明する。タンク２００の底面には、下方へ突出するようにタンク排水口２０４が形成されている。そして、板状のタンク固定板２０２に形成された孔に、タンク排水口２０４を挿通させた後、タンク排水口２０４の外周部に形成されたネジ部に対して、締付部材２０６を締め付ける。それによりタンク固定板２０２のタンク２００への固定が完了する。その後、締付部材２０６が取り付けられたタンク排水口２０４を、タンク調節板２１０に形成された挿通口２５０に挿通させて、タンク固定板２０２とタンク調節板２１０を固定するようにボルト２１２とナット２１４を取り付ける。それによりタンク２００とタンク調節板２１０の固定が完了する。
【００３２】
次に、図４に基づいて、便器本体１００と給水管２６との接続構造について説明する。タンク調節板２１０に形成された挿通口２５０には前方に向かって延びる剛性の高い給水管２６が接続されている。給水管２６は、樹脂等の材料でできている。
給水管２６の先端部には接続口２８が形成されており、便器本体１００の後面に形成された給水口１０２に挿入接続される。
本実施形態では、給水管２６が剛性の高い材料で形成されているため、上記給水管２６の接続動作において、便器本体１００の製造誤差や、便器本体１００やタンク２００の取り付け施工誤差などによって、便器本体１００の給水口１０２と給水管２６の接続口２８との位置合わせが難しくなることが予想されるが、上述のタンク調節板２１０の位置調節機能により容易に行うことができる。したがって、便器本体１００の製造誤差や、便器本体１００あるいはタンク２００の取付施工誤差が生じた場合であっても、剛性の高い給水管２６を便器本体１００の給水口１０２に容易に接続することができる。
【００３３】
本実施形態においては、給水管２６の便器本体１００への接続が挿入接続であるため、上述の前後位置調節手段を用いて、図５に示すようにタンク２００およびタンク調節板２１０をａ地点からｂ地点に移動させるように前進させるだけで、給水管２６を便器本体１００へ接続することができ、接続動作を容易に行うことができる。また、このような接続構造において、上述の通り、タンク調節板２１０は所定位置より後方へは移動が規制されるよう構成されているため、タンク調節板２１０の取付後に微小振動等でタンク調節板２１０が後退していき、給水管２６の便器本体１００への接続が自然と解除されるような事態を防ぐことができる。
【００３４】
以上、本発明の実施形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、本実施形態では、タンクとタンク調節板は別部材で構成したが、これらを一体に形成したものも本発明に含む。また、本実施形態では、壁掛便器支持手段とタンク支持手段を壁掛便器支持構造６０にて兼用させて構成したが、本発明はこれに限らず壁掛便器支持手段とタンク支持手段を、別々の構造体で構成しても良い。
【符号の説明】
【００３５】
２６      給水管
２８      接続口
３０      橋渡部材
３２      取付部
３４      固定手段
３４ａ    ネジ部
３４ｂ    座金
３４ｃ    蝶ナット
６０      壁掛便器取付構造
１００    便器本体
１０２    流入口
２００    タンク
２０４    タンク排水口
２１０    タンク調節板
２２０    ボルト
２３０    長孔
２５０    挿通口
２６０    平板部
３００    キャビネット
ＢＷ      後ろ壁面
ＦＬ      床面
【図１】
2015001081.tif 000003
【図２】
2015001081.tif 000004
【図３】
2015001081.tif 000005
【図４】
2015001081.tif 000006
【図５】
2015001081.tif 000007